(57)【要約】      （修正有）【課題】ネットワークノードが識別する全体的な帯域幅の無線リソースのうち、無線通信デバイスが割り当てられた部分の範囲内の無線リソースを識別するための方法及び無線通信デバイスを提供する。【解決手段】無線通信デバイスは、第１のリソース参照方式によって表現されたリソース識別子が示す所与の無線リソースを、２つの方式を関連づけるマッピング情報によってこのリソース識別子を第２のリソース参照方式に変換することにより、正確に識別する。【選択図】図４
2020145680.tif 000002
【特許請求の範囲】
【請求項１】
無線通信ネットワーク（２０）において動作するように構成された無線通信デバイス（２２）における動作の方法（４００）であって、前記方法（４００）が、
前記無線通信ネットワーク（２０）におけるネットワークノード（１０、２８）からリソース識別子を受信すること（ブロック４０２）と、
デバイスに特有のメッセージで前記リソース識別子が受信された場合には、前記リソース識別子を使用して、前記無線通信デバイス（２２）の割り当てられた帯域幅（１８）の範囲内の対応する無線リソースを識別すること（ブロック４０６）と、
デバイスに特有のメッセージで前記リソース識別子が受信されなかった場合には、前記リソース識別子を変換し、前記変換されたリソース識別子を使用して、前記無線通信デバイス（２２）の前記割り当てられた帯域幅（１８）の範囲内の前記対応するリソースを識別すること（ブロック４０８）と、
前記対応する無線リソース上で送信するかまたは受信すること（ブロック４１０）とを含み、
デバイスに特有のメッセージで受信されたものでないリソース識別子が、全体的な帯域幅（１４）に参照される第１のリソース参照方式で表現された値を含み、デバイスに特有のメッセージで受信されたリソース識別子が、前記無線通信デバイス（２２）の前記割り当てられた帯域幅（１８）に参照される第２のリソース参照方式で表現された値を含み、前記第１のリソース参照方式を使用して表現されたリソース識別子を変換することが、前記第１のリソース参照方式を前記第２のリソース参照方式に関連づけるマッピング情報を使用することを含む、方法（４００）。
【請求項２】
前記リソース識別子が、前記対応する無線リソースとして、前記第１のリソース参照方式によって無線リソース領域または１組の無線リソースを参照し、前記変換されたリソース識別子が、前記第２のリソース参照方式によって前記無線リソース領域または前記無線リソースの組を参照する、請求項１に記載の方法（４００）。
【請求項３】
前記第１のリソース参照方式が、前記全体的な帯域幅（１４）の範囲内の無線リソースの番号付与に使用される第１の番号空間を含み、前記第２のリソース参照方式が、前記割り当てられた帯域幅（１８）の範囲内の無線リソースの番号付与に使用される第２の番号空間を含み、前記リソース識別子を変換することが、前記第１の番号空間の番号を前記第２の番号空間の対応番号に関連づける前記マッピング情報のような規定されたマッピング機能によって、前記第１の番号空間から前記第２の番号空間に変換することを含む、請求項１または２に記載の方法（４００）。
【請求項４】
前記無線通信ネットワーク（２０）において前記ネットワークノード（１０、２８）から前記リソース識別子を受信することが、ダウンリンク制御メッセージを複数の無線通信デバイス（２２）に対して送るのに使用される共通の探索空間の内部の無線リソースにおける前記無線通信ネットワーク（２０）において基地局（２８）によって送信されたダウンリンク制御メッセージを受信することと、対応して、前記リソース識別子がデバイスに特有のメッセージで受信されたものではないため、変換する必要があると判定することとを含む、請求項１から３のいずれか一項に記載の方法（４００）。
【請求項５】
リソース識別子を前記第１のリソース参照方式から前記第２のリソース参照方式に変換するために、前記無線通信ネットワーク（２０）から前記マッピング情報を受信することをさらに含む、請求項１から４のいずれか一項に記載の方法（４００）。
【請求項６】
前記マッピング情報を受信することが、前記割り当てられた帯域幅を規定する前記構成情報を受信することに関連して前記マッピング情報を受信することを含む、請求項５に記載の方法（４００）。
【請求項７】
前記マッピング情報を受信することが、前記割り当てられた帯域幅（１８）を構成するように前記無線通信ネットワーク（２０）によって送られたコマンドによって前記マッピング情報を暗示的に受信することを含み、前記全体的な帯域幅（１４）における前記割り当てられた帯域幅（１８）の位置またはオフセットが、前記無線通信デバイス（２２）がリソース識別子を前記第１のリソース参照方式から前記第２のリソース参照方式に変換するのに使用するべきマッピング機能を指示する、請求項５または６に記載の方法（４００）。
【請求項８】
前記対応する無線リソースが前記リソース識別子によって示された１組の無線リソースに属し、前記無線リソースの組がデータまたは制御情報を搬送し、前記対応する無線リソース上で送信するかまたは受信することが、前記無線リソースの組からのデータまたは制御情報を復号することを含む、請求項１から７のいずれか一項に記載の方法（４００）。
【請求項９】
無線通信ネットワーク（２０）における無線通信用に構成された通信サーキットリ（４０）と、
前記通信サーキットリ（４０）に対して動作可能に関連づけられた処理サーキットリ（４６）であって、
前記無線通信ネットワーク（２０）におけるネットワークノード（１０、２８）から、前記通信サーキットリ（４０）を介してリソース識別子を受信し、
デバイスに特有のメッセージで前記リソース識別子が受信された場合には、前記リソース識別子を使用して、前記無線通信デバイス（２２）の割り当てられた帯域幅（１８）の範囲内の対応する無線リソースを識別し、
デバイスに特有のメッセージで前記リソース識別子が受信されなかった場合には、前記リソース識別子を変換し、前記変換されたリソース識別子を使用して、前記無線通信デバイス（２２）の前記割り当てられた帯域幅（１８）の範囲内の前記対応するリソースを識別して、
前記通信サーキットリ（４０）を介して、前記対応する無線リソース上で送信するかまたは受信するように構成された処理サーキットリ（４６）とを備える無線通信デバイス（２２）であって、
デバイスに特有のメッセージで受信されたものでないリソース識別子が、全体的な帯域幅（１４）に参照される第１のリソース参照方式で表現された値を含み、デバイスに特有のメッセージで受信されたリソース識別子が、前記無線通信デバイス（２２）の前記割り当てられた帯域幅（１８）に参照される第２のリソース参照方式で表現された値を含み、前記処理サーキットリ（４６）が、前記第１のリソース参照方式を使用して表現されたリソース識別子を、前記第１のリソース参照方式を前記第２のリソース参照方式に関連づけるマッピング情報を使用して変換するように構成される、無線通信デバイス（２２）。
【請求項１０】
前記リソース識別子が、前記対応する無線リソースとして、前記第１のリソース参照方式によって無線リソース領域または１組の無線リソースを参照し、前記変換されたリソース識別子が、前記第２のリソース参照方式によって前記無線リソース領域または前記無線リソースの組を参照する、請求項９に記載の無線通信デバイス（２２）。
【請求項１１】
前記第１のリソース参照方式が、前記全体的な帯域幅（１４）の範囲内の無線リソースの番号付与に使用される第１の番号空間を含み、前記第２のリソース参照方式が、前記割り当てられた帯域幅（１８）の範囲内の無線リソースの番号付与に使用される第２の番号空間を含み、前記処理サーキットリ（４６）が、前記リソース識別子を、前記第１の番号空間の番号を前記第２の番号空間の対応番号に関連づける前記マッピング情報のような規定されたマッピング機能によって前記第１の番号空間から前記第２の番号空間へと変換するように構成される、請求項９または１０に記載の無線通信デバイス（２２）。
【請求項１２】
前記処理サーキットリ（４６）が、前記リソース識別子を、ダウンリンク制御メッセージを複数の無線通信デバイス（２２）に対して送るのに使用される共通の探索空間の内部の無線リソースにおける前記無線通信ネットワーク（２０）において基地局（２８）によって送信されたダウンリンク制御メッセージで受信し、対応して、前記リソース識別子がデバイスに特有のメッセージで受信されたものではないため、変換する必要があると判定するように構成される、請求項９から１１のいずれか一項に記載の無線通信デバイス（２２）。
【請求項１３】
前記処理サーキットリ（４６）が、リソース識別子を前記第１のリソース参照方式から前記第２のリソース参照方式に変換するために、前記無線通信ネットワーク（２０）から前記マッピング情報を受信するように構成される、請求項９から１２のいずれか一項に記載の無線通信デバイス（２２）。
【請求項１４】
前記処理サーキットリ（４６）が、前記割り当てられた帯域幅（１８）を規定する構成情報を受信することに関連して前記マッピング情報を受信するように構成される、請求項１３に記載の無線通信デバイス（２２）。
【請求項１５】
前記処理サーキットリ（４６）が、前記割り当てられた帯域幅（１８）を構成するように前記無線通信ネットワーク（２０）が送ったコマンドによって前記マッピング情報を暗示的に受信するように構成され、前記全体的な帯域幅（１４）における前記割り当てられた帯域幅（１８）の位置またはオフセットが、前記無線通信デバイス（２２）がリソース識別子を前記第１のリソース参照方式から前記第２のリソース参照方式に変換するのに使用するべきマッピング機能を指示する、請求項１３または１４に記載の無線通信デバイス（２２）。
【請求項１６】
前記対応する無線リソースが前記リソース識別子によって示された１組の無線リソースに属し、前記無線リソースの組がデータまたは制御情報を搬送し、前記処理サーキットリ（４６）が無線リソースの組からデータまたは制御情報を復号するように構成される、請求項９から１５のいずれか一項に記載の無線通信デバイス（２２）。
【請求項１７】
無線通信ネットワーク（２０）において動作するように構成されたネットワークノード（１０、２８）における動作の方法（７００）であって、
割り当てられた帯域幅（１８）を用いて動作する無線通信デバイス（２２）に特有のものでないメッセージでリソース識別子を送信すること（ブロック７０２）であって、前記リソース識別子が、前記無線通信デバイス（２２）によって使用される無線リソースを識別し、前記割り当てられた帯域幅を含有している全体的な帯域幅（１４）に参照される第１のリソース参照方式によって表現される、送信することと、
前記リソース識別子を、前記第１のリソース参照方式から、前記割り当てられた帯域幅（１８）の範囲内の無線リソースを参照するために前記無線通信デバイス（２２）によって使用される第２のリソース参照方式へと前記無線通信デバイス（２２）によって変換することを可能にするマッピング情報を、前記無線通信デバイス（２２）に供給すること（ブロック７０４）とを含む方法（７００）。
【請求項１８】
前記マッピング情報を供給することが、前記無線通信デバイス（２２）に対して前記マッピング情報を明示的にシグナリングすること含む、請求項１７に記載の方法（７００）。
【請求項１９】
前記無線通信デバイス（２２）に対して前記マッピング情報を明示的にシグナリングすることが、無線リソース制御（ＲＲＣ）シグナリングを送ること、メディアアクセス制御（ＭＡＣ）要素を送ること、および制御チャネルシグナリングを送ることのうち１つを含む、請求項１８に記載の方法（７００）。
【請求項２０】
前記マッピング情報を供給することが、前記第１のリソース参照方式から前記第２のリソース参照方式へとマッピングするために、前記割り当てられた帯域幅（１８）を、前記無線通信デバイス（２２）にとって既知の対応するマッピング機能に関連した全体的な帯域幅（１４）の範囲内のオフセットまたは位置において割り当てることに基づいて前記マッピング情報を暗示的に供給することを含む、請求項１７に記載の方法（７００）。
【請求項２１】
前記無線通信デバイス（２２）に特有のものでないメッセージで前記リソース識別子を送信することが、複数の無線通信デバイス（２２）によってダウンリンク制御情報を求めて探索される共通の探索空間の内部の制御チャネルを送信することを含み、
前記複数の無線通信デバイス（２２）が前記無線通信デバイス（２２）を含む、請求項１７から２０のいずれか一項に記載の方法（７００）。
【請求項２２】
前記無線通信デバイス（２２）が、前記無線通信デバイス（２２）に特有のものでないメッセージで受信されたリソース識別子を変換し、前記変換されたリソース識別子を使用して、前記割り当てられた帯域幅（１８）の範囲内の対応する無線リソースを識別するように構成され、前記無線通信デバイス（２２）が、前記無線通信デバイス（２２）に特有のメッセージで受信されたリソース識別子を、変換せずに使用するように構成され、前記方法（７００）は、前記無線デバイス（２２）が、前記割り当てられた帯域幅（１８）の範囲内でデバイスに特有のものでないメッセージを送信するために使用されるメッセージ形式と比較してコンパクトな、デバイスに特有のメッセージを前記割り当てられた帯域幅（１８）におけるデバイスに特有の探索空間の内部の無線通信デバイス（２２）に送信するためのメッセージ形式を使用して、デバイスに特有のメッセージとデバイスに特有のものでないメッセージを区別することを可能にすることをさらに含む、請求項１７から２１のいずれか一項に記載の方法（７００）。
【請求項２３】
前記割り当てられた帯域幅（１８）が前記全体的な帯域幅（１４）の範囲内で位置する場所または配置されている場所に依拠して前記マッピング情報を判定することをさらに含む、請求項１７から２２のいずれか一項に記載の方法（７００）。
【請求項２４】
前記第１のリソース参照方式が、前記全体的な帯域幅（１４）の範囲内の無線リソースに番号付与するための第１の番号付与方式を含み、前記第２のリソース参照方式が、前記割り当てられた帯域幅（１８）の範囲内の無線リソースに番号付与ための第２の番号付与方式を含み、前記マッピング情報が、前記第１の番号付与方式における番号を前記第２の番号付与方式における対応番号へと前記無線通信デバイス（２２）によって変換することを可能にする、請求項１７から２３のいずれか一項に記載の方法（７００）。
【請求項２５】
無線通信ネットワーク（２０）において動作するように構成されたネットワークノード（１０、２８）であって、
通信サーキットリ（６０）と、
前記通信サーキットリ（６０）に対して動作可能に関連づけられた処理サーキットリ（６６）であって、
割り当てられた帯域幅（１８）を用いて動作する無線通信デバイス（２２）に特有のものでないメッセージでリソース識別子を送信することであって、前記リソース識別子が、前記無線通信デバイス（２２）によって使用される無線リソースを識別し、前記割り当てられた帯域幅（１８）を含有している全体的な帯域幅（１４）に参照される第１のリソース参照方式によって表現される、送信することと、
前記リソース識別子を、前記第１のリソース参照方式から、前記割り当てられた帯域幅（１８）の範囲内の無線リソースを参照するために前記無線通信デバイス（２２）によって使用される第２のリソース参照方式へと前記無線通信デバイス（２２）によって変換することを可能にするマッピング情報を、前記無線通信デバイス（２２）に供給することとを行うように構成された処理サーキットリ（６６）とを備えるネットワークノード（１０、２８）。
【請求項２６】
前記処理サーキットリ（６６）が、前記無線通信デバイス（２２）に、前記通信サーキットリ（６０）を介してマッピング情報を明示的にシグナリングすることによって前記マッピング情報を供給するように構成される、請求項２５に記載のネットワークノード（１０、２８）。
【請求項２７】
前記処理サーキットリ（６６）が、前記無線通信デバイス（２２）に、無線リソース制御（ＲＲＣ）シグナリング、メディアアクセス制御（ＭＡＣ）要素、および制御チャネルシグナリングのうち１つを送ることによって前記マッピング情報を明示的にシグナリングするように構成される、請求項２６に記載のネットワークノード（１０、２８）。
【請求項２８】
前記処理サーキットリ（６６）が、前記第１のリソース参照方式から前記第２のリソース参照方式へとマッピングするために、前記割り当てられた帯域幅（１８）を前記無線通信デバイス（２２）にとって既知の対応するマッピング機能に関連した全体的な帯域幅（１４）の範囲内のオフセットまたは位置において割り当てることに基づき、前記無線通信デバイス（２２）に対して前記マッピング情報を暗示的に供給するように構成される、請求項２５に記載のネットワークノード（１０、２８）。
【請求項２９】
前記処理サーキットリ（６６）が、複数の無線通信デバイス（２２）によってダウンリンク制御情報を求めて探索される共通の探索空間の内部の制御チャネルを送信することにより、前記無線通信デバイス（２２）に特有のものでないメッセージで前記リソース識別子を送信するように構成され、前記複数の無線通信デバイス（２２）が前記無線通信デバイス（２２）を含む、請求項２５から２８のいずれか一項に記載のネットワークノード（１０、２８）。
【請求項３０】
前記無線通信デバイス（２２）が、前記無線通信デバイス（２２）に特有のものでないメッセージで受信されたリソース識別子を変換し、前記変換されたリソース識別子を使用して、前記割り当てられた帯域幅の範囲内の対応する無線リソースを識別するように構成され、前記無線通信デバイス（２２）が、前記無線通信デバイス（２２）に特有のメッセージで受信されたリソース識別子を変換せずに使用するように構成され、前記処理サーキットリ（６６）が、デバイスに特有のものでないメッセージを送信するのに使用されるメッセージ形式と比較してコンパクトな、前記無線通信デバイス（２２）に対してデバイスに特有のメッセージを送信するためのメッセージ形式を使用することにより、デバイスに特有のメッセージとデバイスに特有のものでないメッセージとを前記無線通信デバイス（２２）よって区別することを可能にするように構成される、請求項２５から２９のいずれか一項に記載のネットワークノード（１０、２８）。
【請求項３１】
前記処理サーキットリ（６６）が、前記割り当てられた帯域幅（１８）が前記全体的な帯域幅（１４）の範囲内で位置する場所または配置されている場所に依拠して前記マッピング情報を判定するように構成される、請求項２５から３０のいずれか一項に記載のネットワークノード（１０、２８）。
【請求項３２】
前記第１のリソース参照方式が、前記全体的な帯域幅の範囲内の無線リソースに番号付与するための第１の番号付与方式を含み、前記第２のリソース参照方式が、前記割り当てられた帯域幅（１８）の範囲内の無線リソースに番号付与するための第２の番号付与方式を含み、前記マッピング情報が、前記第１の番号付与方式における番号を前記第２の番号付与方式における対応番号へと前記無線通信デバイス（２２）によって変換することを可能にする、請求項２５から３１のいずれか一項に記載のネットワークノード（１０、２８）。
【発明の詳細な説明】
【技術分野】
【０００１】
本発明は一般に無線通信ネットワークに関し、特にそのようなネットワークにおける無線リソースを識別して使用することに関するものである。
【背景技術】
【０００２】
Ｌｏｎｇ  Ｔｅｒｍ  Ｅｖｏｌｕｔｉｏｎ（ＬＴＥ）規格に基づく無線通信ネットワークでは、無線通信デバイスは、少なくとも所与のダウンリンクキャリアに関して、サポートしているネットワーク基地局が使用するダウンリンク帯域幅と整合するダウンリンク帯域幅で動作することが知られている。この状況では、第３世代パートナーシッププロジェクト（３ＧＰＰ）は、無線通信デバイスを「ユーザ機器」または「ＵＥ」と称し、基地局を「ｅＮｏｄｅＢ」または「ｅＮＢ」と称する。
【０００３】
ＬＴＥでは、「リソースブロック」すなわち「ＲＢ」は、ユーザに割り当てられ得る無線リソースの最小単位であり、規定された間隔にわたって直交周波数分割多重（ＯＦＤＭ）サブキャリアの規定された数を「含有している」。したがって、ＤＬ上で使用される全体的な帯域幅は、その帯域幅が及ぶリソースブロックの数で表現され得る。対応するＲＢ番号（複数可）を識別することにより、所与の間隔の範囲内の、サブキャリアの任意の特定の組（複数可）が識別され得る。すなわち、ネットワークは、ＤＬ  ＲＢに対して、周波数の昇順または降順に番号付与してよい。もちろん他の番号付与方式が使用されてもよい。
【０００４】
非限定的な例では、帯域幅はＲＢの数で評価され、それぞれのＲＢが固定数のＯＦＤＭサブキャリアに対応する。数は、１、２、１２、２６または任意の他の数であり得る。一般性を損なうことなく、無線通信ネットワークにおける基地局は、ＲＢにおける同基地局のダウンリンク無線リソースを、たとえば低い周波数のＲＢから始めて高い周波数のＲＢへと、カウントするかまたは参照すると想定され得る。もちろん降順が使用されてもよい。どちらの場合にも、基地局は、番号付与方式を使用して、同基地局の全体的なダウンリンク帯域幅を備えるＲＢに対して、番号付与し、ここで各番号がダウンリンク帯域幅の範囲内の特定のＲＢを識別するかまたは指摘する。
【０００５】
ＬＴＥでは、ユーザ機器（ＵＥ）は、少なくともキャリアごとに、同ＵＥがサポートするｅＮＢによって使用されるダウンリンク帯域幅を処理するように構成される。ＵＥは、少なくとも個別のキャリアに関してｅＮＢと同一の帯域幅で動作するため、ｅＮＢと、無線リソースの同一の「見方」を有し、同一のリソース番号付与方式を共通に使用することになる。結果的に、ｅＮＢがそれ自体の番号付与方式を使用して送信したリソースポインタは、ＵＥによって受信され、曖昧さなく解釈され得る。
【０００６】
しかしながら、開発中の、配備されつつある「５Ｇ」無線システムとも称される新規の無線システムでは、リソース識別を管理することの難易度が明らかに高くなることが本明細書では理解される。そのような無線システムでは、所与のＵＥは、ネットワーク基地局に関連した全体的なダウンリンク帯域幅のサブセットしかサポートせず、または割り当てられず、全体的なダウンリンク帯域幅の範囲内の割当てのロケーションすなわち位置は変化し得る。例として、ＴＳ  ３８．８０１、Ｓｔｕｄｙ  ｏｎ  Ｎｅｗ  Ｒａｄｉｏ  Ａｃｃｅｓｓ  Ｔｅｃｈｎｏｌｏｇｙを参照されたい。
【０００７】
本明細書で理解される、ＬＴＥにおけるさらなる複雑化状況として、物理ダウンリンク制御チャネル（ＰＤＣＣＨ）が全体の（ダウンリンク）帯域幅にわたって送信される可能性があり、個々のＵＥは全体の帯域幅にわたってＰＤＣＣＨを監視しなければならない。しかしながら、新規の無線システムでは、ＰＤＣＣＨ空間の帯域幅を削減することが望まれる。帯域幅削減手法の１つは、ダウンリンク制御シグナリングを（１つまたは少数のＯＦＤＭシンボルで）送るために、全体的なダウンリンク帯域幅のうち制限されたサブバンドを割り当てることを包含している。
【０００８】
この、小さいサブバンドの割当ては、基地局がサポートするすべてのＵＥによって監視される「共通の」ＰＤＣＣＨ探索空間を表現することになる。それぞれのＵＥ向けの帯域幅割当ての範囲内のＵＥに特有の探索空間を構成する必要性もあり得る。そのような探索空間は共通の探索空間とオーバラップしてもオーバラップしなくてもよく、ＵＥに特有の探索空間は、各ＵＥに対して、ＵＥに割り当てられた帯域幅の範囲内の特定のＲＢを割り当てることによって構成され得ることが理解されよう。
【０００９】
所与のＵＥに対してＵＥに特有のメッセージを送るとき、基地局は、ＵＥのリソース番号付与方式を使用して、リソースポインタまたは他のリソース識別子を表すことができるはずである。しかしながら、リソースポインタまたは他のリソース識別子を含む、たとえば可能性として多くのＵＥといった複数のＵＥ向けに意図されたＰＤＣＣＨまたは他の制御メッセージを検討する。複数のＵＥは、必ずしも、同一の構成された帯域幅、または全体的なダウンリンク帯域幅の範囲内の構成された帯域幅に関して同一の開始ロケーションもしくは参照ロケーションを有するとは限らない。よって、基地局と複数のＵＥとに共通して適用可能な番号付与方式はない。そのような制御メッセージには、たとえばランダムアクセス応答メッセージ、システム情報に関係のあるメッセージ、ページングメッセージ、（ＭＢＭＳのような）ブロードキャストサービスに関係のあるメッセージなどが含まれる。
【００１０】
これらの制御メッセージは、より多くの制御コンテンツが見いだされ得るデータ領域への参照、たとえばシステム情報が見いだされ得るＲＢへのポインタを含有し得る。本明細書では、基地局のリソース番号付与方式を使用して表現されるそのようなポインタまたはリソース識別子は、全体的なダウンリンク帯域幅の範囲内の異なる構成の帯域幅または異なる帯域幅位置を有するＵＥによって違った風に解釈されるはずであることが理解される。
【００１１】
先の問題をよりよく理解するために、関心のある全体的なダウンリンク帯域幅が、基地局によって０〜２６と番号付与されたＲＢを含む図１を検討する。（Ｎ−１）＝２６である。ＵＥ  １と表された第１のＵＥは、全体的なダウンリンク帯域幅のうちの割り当てられたサブセットにおいて動作し、ＵＥ  １に割り当てられた帯域幅の範囲内のＲＢに対して、番号付与方式を使用して０〜（Ｍ１−１）＝９に番号付与する。しかしながら、ＵＥ  １によって使用される番号付与方式の範囲内の「０」は、基地局によって使用される番号付与方式の範囲内の「１０」に相当する。同様に、ＵＥ  ２と表された第２のＵＥは、全体的なダウンリンク帯域幅のうちの割り当てられたサブセットにおいて動作し、ＵＥ  ２に割り当てられた帯域幅の範囲内のＲＢに対して、番号付与方式を使用して０〜（Ｍ２−１）＝１４に番号付与する。しかしながら、ＵＥ  ２によって使用される番号付与方式の範囲内の「０」は、基地局によって使用される番号付与方式の範囲内の「３」に相当する。Ｍ１およびＭ２はＮ以下であることに留意されたい。
【００１２】
次に、ＲＢ  １０における共通のＰＤＣＣＨメッセージを示す図２を検討する。もちろん、ＰＤＣＣＨは、実際にはいくつかのＲＢに及ぶものであり、この例示の状況におけるＰＤＣＣＨメッセージのフォーマットは重要ではないことを理解されたい。重要なのは、ＰＤＣＣＨが複数のＵＥ向けに意図されており、ＵＥがさらなるコンテンツを求めてアクセスするべきデータ領域（すなわち特定のダウンリンクリソース）を指示するリソース識別子を含むということである。
【００１３】
データ領域は、ＢＳの番号付与によってＲＢ  １２〜１４に配置されていると想定する。しかしながら、同じＲＢが、ＵＥ  １の番号付与によってＲＢ  ２〜４と番号付与されており、ＵＥ  ２の番号付与によってＲＢ  ９〜１１と番号付与されている。これらの番号付与の相違に対する魅力的な解決策は、すべてのＵＥに、基地局が使用するのと同じ番号付与方式を強制的に使用させることである。しかしながら、本明細書で認識されるように、そのような手法には多くの不利益がある。たとえば、より小さい番号空間の内部でリソースを識別するのに必要なビット数は、より大きい番号空間の内部で同じリソースを識別するのに必要なビット数よりも小さい。そのゆえに、各ＵＥに、基地局の、より大きい参照番号空間を用いて動作することを強制すると、所与のＵＥに関連して割り当てられた帯域幅の範囲内のＵＥに特有のリソースを識別するのに、より効率的なリソース識別子を使用する機会が失われる。
【発明の概要】
【００１４】
基地局などのネットワークノードは、第１のリソース参照方式を使用して全体的な帯域幅の範囲内の無線リソースを識別するが、無線通信デバイスは、第２のリソース参照方式を使用して、全体的な帯域幅のうち割り当てられた部分の範囲内の無線リソースを識別する。有利には、無線通信デバイスは、第１のリソース参照方式によって表現されたリソース識別子が指摘する所与の無線リソースを、２つの方式を関連づけるマッピング情報によってこのリソース識別子を第２のリソース参照方式に変換することにより、正確に識別する。対応して、無線通信デバイスがマッピング情報を暗示的または明示的に供給することにより、ネットワークノードはそのような変換を遂行することができる。
【００１５】
例示の一実施形態は、無線通信ネットワークにおいて動作するように構成された無線通信デバイスにおける動作の方法を包含している。この方法は、無線通信ネットワークにおけるネットワークノードからリソース識別子を受信することと、デバイスに特有のメッセージでリソース識別子が受信された場合には、リソース識別子を使用して、無線通信デバイスの割り当てられた帯域幅の範囲内の対応する無線リソースを識別することとを含む。あるいは、この方法によれば、デバイスに特有のメッセージでリソース識別子が受信されなかった場合には、無線通信デバイスは、リソース識別子を変換し、変換されたリソース識別子を使用して、ユーザ機器の割り当てられた帯域幅の範囲内の対応するリソースを識別する。どちらの場合にも、この方法は、対応する無線リソース上で送信するかまたは受信する無線通信デバイスをさらに含む。
【００１６】
上記の状況では、デバイスに特有のメッセージで受信されたものではないリソース識別子は、全体的な帯域幅を参照する第１のリソース参照方式で表現された値を含み、デバイスに特有のメッセージで受信されたリソース識別子は、無線通信デバイスの割り当てられた帯域幅を参照する第２のリソース参照方式で表現された値を含む。対応して、第１のリソース参照方式を使用して表現されたリソース識別子を変換することは、第１のリソース参照方式を第２のリソース参照方式に関連づけるマッピング情報を使用することを含む。
【００１７】
関係のある例示の実施形態では、無線通信デバイスは、無線通信ネットワークにおける無線通信用に構成された通信サーキットリと、通信サーキットリに対して動作可能に関連づけられた処理サーキットリとを含む。処理サーキットリは、デバイスに特有のメッセージでリソース識別子が受信された場合には、無線通信ネットワークにおけるネットワークノードから通信サーキットリを介してリソース識別子を受信し、リソース識別子を使用して、無線通信デバイスの割り当てられた帯域幅の範囲内の対応する無線リソースを識別するように構成される。しかしながら、処理サーキットリは、デバイスに特有のメッセージでリソース識別子が受信されなかった場合には、リソース識別子を変換し、変換されたリソース識別子を使用して、無線通信デバイスの割り当てられた帯域幅の範囲内の対応するリソースを識別するように構成される。なおさらに、処理サーキットリは、通信サーキットリを介して、対応する無線リソース上で送信するかまたは受信するように構成構成される。
【００１８】
上記の状況では、デバイスに特有のメッセージで受信されたものではないリソース識別子は、全体的な帯域幅を参照する第１のリソース参照方式で表現された値を含み、デバイスに特有のメッセージで受信されたリソース識別子は、無線通信デバイスの割り当てられた帯域幅を参照する第２のリソース参照方式で表現された値を含む。対応して、処理サーキットリは、第１のリソース参照方式を使用して表現されたリソース識別子を、第１のリソース参照方式を第２のリソース参照方式に関連づけるマッピング情報を使用して変換するように構成される。
【００１９】
別の例示の実施形態は、無線通信ネットワークにおいて動作するように構成されたネットワークノードにおける動作の方法を包含している。この方法は、割り当てられた帯域幅を用いて動作する無線通信デバイスに特有のものでないメッセージでリソース識別子を送信することを含み、リソース識別子は無線通信デバイスによって使用される無線リソースを識別し、割り当てられた帯域幅を含有している全体的な帯域幅を参照する第１のリソース参照方式によって表現される。この方法は、リソース識別子を、第１のリソース参照方式から、割り当てられた帯域幅の範囲内の無線リソースを参照するために無線通信デバイスが使用する第２のリソース参照方式へと無線通信デバイスによって変換することを可能にするマッピング情報を、無線通信デバイスに供給することをさらに含む。ネットワークノードは、無線通信デバイスに対して、たとえば明示的なシグナリングによって明示的に、またはたとえば割り当てられた帯域幅を、オフセットさせて、もしくは無線通信デバイスにとって既知の対応するマッピング機能に関連づけられた全体的な帯域幅の範囲内の位置に割り当てることに基づいて、暗示的に、マッピング情報を供給する。
【００２０】
関係のある例では、ネットワークノードは無線通信ネットワークにおいて動作するように構成されており、通信サーキットリおよび関連する処理サーキットリを備える。処理サーキットリは、割り当てられた帯域幅を用いて動作する無線通信デバイスに特有のものでないメッセージでリソース識別子を送信するように構成される。リソース識別子は、無線通信デバイスによって使用される無線リソースを識別し、割り当てられた帯域幅を含有している全体的な帯域幅を参照する第１のリソース参照方式によって表現される。
【００２１】
処理サーキットリは、リソース識別子を、第１のリソース参照方式から、割り当てられた帯域幅の範囲内の無線リソースを参照するために無線通信デバイスが使用する第２のリソース参照方式へと無線通信デバイスによって変換することを可能にするマッピング情報を、無線通信デバイスに供給するようにさらに構成される。処理サーキットリは、マッピング情報を明示的または暗示的に供給する。たとえば、前述のように、無線通信デバイスが、割り当てられた帯域幅のオフセットまたは位置を基に、使用するべきマッピング機能を知るように、マッピング機能と全体的な帯域幅の範囲内の割り当てられた帯域幅の位置の間に関連があり得る。
【００２２】
もちろん、本発明は上記の特徴および利点に限定されない。当業者なら、以下の詳細な説明を読み取り、添付図面を見れば、さらなる特徴および利点を認識するであろう。
【図面の簡単な説明】
【００２３】
【図１】ネットワーク基地局に関連した全体的なダウンリンク帯域幅の範囲内で動作するそれぞれの無線通信デバイスに対する例示の帯域幅割当ての図である。
【図２】ネットワーク基地局に関連した全体的なダウンリンク帯域幅の範囲内で動作するそれぞれの無線通信デバイスに対する例示の帯域幅割当ての図である。
【図３】本明細書の教示に従って構成された第１のノードおよび第２のノードの一実施形態のブロック図である。
【図４】本明細書の教示による、ユーザ機器（ＵＥ）における処理の一実施形態の論理流れ図である。
【図５】本明細書の相補デバイス側の教示に従って構成された無線通信デバイスと関連づけて示された、本明細書のネットワーク側の教示に従って構成されたネットワークノードを有する無線通信ネットワークの一実施形態のブロック図である。
【図６】図５で導入されたネットワークノードおよび無線通信デバイスの例示のサーキットリの詳細のブロック図である。
【図７】ネットワークノードにおける処理方法の一実施形態の論理流れ図である。
【図８】ネットワークノードにおける処理方法の一実施形態の論理流れ図である。
【図９】ネットワーク基地局に関連した全体的なダウンリンク帯域幅の範囲内で動作するそれぞれの無線通信デバイスに対する例示の帯域幅割当てと、対応するリソース参照変換方式との図である。
【図１０】ネットワーク基地局に関連した全体的なダウンリンク帯域幅の範囲内で動作するそれぞれの無線通信デバイスに対する例示の帯域幅割当てと、対応するリソース参照変換方式との図である。
【図１１】ネットワーク基地局に関連した全体的なダウンリンク帯域幅の範囲内で動作するそれぞれの無線通信デバイスに対する例示の帯域幅割当てと、対応するリソース参照変換方式との図である。
【図１２】ネットワーク基地局に関連した全体的なダウンリンク帯域幅の範囲内で動作するそれぞれの無線通信デバイスに対する例示の帯域幅割当てと、対応するリソース参照変換方式との図である。
【発明を実施するための形態】
【００２４】
図３は第１のノード１０および第２のノード１２を図示するものである。ノード１０および１２は、たとえば移動体通信ネットワークといった無線通信ネットワークにおいて動作するように構成される。非限定的な例として、第１のノード１０は、無線通信ネットワークの内部で動作するネットワークノードを備え、第２のノード１２は、ネットワークの内部で動作する無線通信デバイスを備える。例として、ネットワークノードは、ネットワークの基地局などの無線アクセスノードを備え、第２のノード１２は、基地局と通信するように構成されたユーザ機器（ＵＥ）または他の無線通信デバイスを備える。しかしながら、本明細書で企図された方法は、各種ノードおよびシステムに対する広範な適用可能性を有し、様々なノードによって、様々な番号付与方式または識別方式が、同一の通信リソースのうち少なくともいくつかに関して使用され得る。
【００２５】
図３では、無線リソース１６の組１４が第１のノード１０に関連づけられている。たとえば、無線リソース１６の組１４は、それぞれ１つまたは複数のサブキャリアを含む１組のサブキャリアまたはリソースブロック（ＲＢ）など１組の周波数リソースを備える。無線リソース１６の組１４は、ＯＦＤＭキャリアに関して規定されたＲＢの全体的な組を備え得る。それとは関係なく、第１のノード１０は、「全体的な帯域幅」とも称される全体的な組１４の範囲内のリソース１６を識別するのに第１のリソース参照方式を使用する。たとえば、第１のノード１０は、組１４の範囲内のすべてのリソース１６を一意的に識別するほど大きい第１の番号空間の内部の番号を使用する。
【００２６】
第２のノード１２は、リソース１６のサブセット１８を割り当てられ、またはこれに関連づけられ、「割り当てられた帯域幅」とも称されるサブセット１８の範囲内のリソース１６を識別するのに第２のリソース参照方式を使用する。サブセット１８がリソース１６のフルセット１４を包含しない限りでは、第２のノード１２はより小さい番号空間またはよりコンパクトな参照方式を使用してよく、このことには、サブセット１８の範囲内のリソース１６を識別するのに必要なビット数がより少ないという利益と、第１のノード１０が使用する参照方式とは異なるという不利益とがある。
【００２７】
しかしながら、第１のノード１０および第２のノード１２は、異なるリソース参照方式を使用することで生じる問題を回避するように構成されており、そのような構成により、第２のノード１２は、第１のノード１０が第１のリソース参照方式を使用してリソースを識別するときさえ、リソース１６における第２のノード１２のサブセット１８の範囲内の無線リソース１６を正確に識別することができる。２つの方式のそのような調整の一例では、第２のノード１２による動作の方法は、第１のノード１０から、第１のリソース参照方式を使用して表現された第１のリソース識別子を受信することを含む。第１のリソース識別子は、サブセット１８に含まれる無線リソースを識別する一方で、フルセット１４の範囲内のリソース識別を参照する値を使用して無線リソースを指摘するかまたは識別する。したがって、第２のノード１２は、第１のリソース参照方式を第２のリソース参照方式に関連づけるマッピング情報を使用して、第１のリソース識別子を、「変換された」リソース識別子とも称される第２のリソース識別子に変換する。変換されたリソース識別子は、第１のリソース識別子が指摘するものと同一の無線リソースを指示するが、変換されたリソース識別子の値は第２のリソース参照方式に関して表現される。この方法は、対応する無線リソース（すなわち変換されたリソース識別子によって識別される無線リソース）上で送信するかまたは受信することをさらに含む（ここで、リソースによる送信または受信は、エアインターフェースの詳細に依拠して、たとえばスロット、サブフレームといった１つまたは複数の規定された送信時間間隔またはインスタントを包含していることが理解される）。
【００２８】
この方法は、第２のノード１２が、第１のノード１０から、第２のリソース参照方式に関して表現されるリソース識別子を受信することをさらに含み得る。したがって変換は不要であり、第２のノード１２は、リソース識別子を変換せずに使用して、割り当てられたサブセット１８の範囲内の対応する無線リソースを識別する。再び、第２のノード１２は、対応する無線リソース上で送信するかまたは受信する。言い換えれば、第２のノード１２は、第２のリソース参照方式で表現されたリソース識別子についてはマッピング機能を適用せず、すなわち変換しないで直接使用する。
【００２９】
したがって、第２のノード１２は受信したリソース識別子を選択的に変換するものと理解され得る。たとえば、第１のノード１０は、第２のノード１２を特に対象とするわけではない、たとえばそれぞれが割り当てられたサブセット１８を有する複数のノードを対象とするメッセージを時々送る。第１のノード１０は、そのようなメッセージにおいて、含まれたあらゆるリソース識別子を、リソース１６の全体１４すなわちフルセット１４に「共通の」すなわち「グローバルな」第１のリソース参照方式を使用して表現する。さらに、第１のノード１０は、第２のノード１２を特に対象とするメッセージを時々送ってよく、そのようなメッセージに含まれるあらゆるリソース識別子が、第２のノード１２が使用する第２のリソース参照方式を使用して表現され得る。言い換えれば、それぞれにリソース１６の異なるサブセット１８が割り当てられ、対応して適合されたリソース参照方式を使用している可能性がある複数のノードによって解釈される必要があるリソース識別子を送るとき、ノード１０は、第１のリソース参照方式を使用してリソース識別子を表現し、必要とされる変換の遂行はそれぞれの受信ノードに依存する。しかしながら、ノード１０は、対象とする特定のノードにリソース識別子を送るとき、その特定のノードに適用可能な特定のリソース参照方式を使用してよい。
【００３０】
図４は、先の例による方法４００を図示するものである。方法４００は、無線通信ネットワークにおいて動作するユーザ機器（ＵＥ）または他の無線通信デバイスによって遂行され、無線通信ネットワークにおけるネットワークノードからリソース識別子を受信すること（ブロック４０２）を含む。方法４００は、リソース識別子がデバイスに特有のメッセージで受信された場合（ブロック４０４のｙｅｓ）には、リソース識別子を使用して無線通信デバイスの割り当てられた帯域幅の範囲内の対応する無線リソースを識別すること（ブロック４０６）で継続する。しかしながら、リソース識別子がデバイスに特有のメッセージで受信されなかった場合（ブロック４０４のｎｏ）には、方法４００はブロック４０６ではなくブロック４０８の動作を遂行することを含み、すなわち、無線通信デバイスはリソース識別子を変換し、変換されたリソース識別子を使用して、無線通信デバイスの割り当てられた帯域幅の範囲内の対応するリソースを識別する。どちらの場合にも、リソース識別子または変換されたリソース識別子は同一の対応する無線リソースを識別し、方法４００は、対応する無線リソース上で送信するかまたは受信すること（ブロック４１０）をさらに含む。
【００３１】
方法４００の状況では、デバイスに特有のメッセージで受信されたものでないリソース識別子は、全体的な帯域幅（たとえばリソース１６のフルセット１４）を参照する第１のリソース参照方式で表現された値を含み、デバイスに特有のメッセージで受信されたリソース識別子は、無線通信デバイスの割り当てられた帯域幅（たとえばリソース１６の割り当てられたサブセット１８）に参照される第２のリソース参照方式で表現された値を含む。したがって、第１のリソース参照方式を使用して表現されたリソース識別子を変換することは、無線通信デバイスが、第１のリソース参照方式を第２のリソース参照方式に関連づけるマッピング情報を使用することを含む。
【００３２】
少なくともいくつかの実施形態では、無線通信デバイスによって受信されたリソース識別子は、第１のリソース参照方式により、前記対応する無線リソースとして無線リソース領域または１組の無線リソースを参照する。対応して、変換されたリソース識別子は、第２のリソース参照方式により、上記の無線リソース領域または１組の無線リソースを参照する。
【００３３】
一例では、第１のリソース参照方式は、全体的な帯域幅の範囲内の無線リソースに番号付与るのに使用される第１の番号空間を含み、第２のリソース参照方式は、割り当てられた帯域幅の範囲内の無線リソースに番号付与するのに使用される第２の番号空間を含む。対応して、無線通信デバイスは、規定されたマッピング機能によって、リソース識別子を第１の番号空間から第２の番号空間へと変換することにより、第１のリソース参照方式から第２のリソース参照方式へと変換する。ここで、規定されたマッピング機能は、上記で言及されたマッピング情報を構成し、第１の番号空間の番号を第２の番号空間の対応番号に関連づける。
【００３４】
無線通信デバイスにおいてリソース識別子を受信することは、たとえば、複数の無線通信デバイスに対してダウンリンク制御メッセージを送るのに使用される共通の探索空間の内部の無線リソース上の無線通信ネットワークにおける基地局によって送信されたダウンリンク制御メッセージを受信することを含む。対応して、無線通信デバイスは、リソース識別子がデバイスに特有のメッセージで受信されたものではないため、変換する必要があると判定する。
【００３５】
無線通信デバイスは、ネットワークからマッピング情報を受信してよい。たとえば、無線通信デバイスは、ネットワークから無線通信デバイスに送られた明示的なシグナリングによってマッピング情報を受信する。あるいは、ネットワークは、無線通信デバイスに、マッピング情報を暗示的に供給してもよい。たとえば、１つまたは複数の実施形態では、全体的な帯域幅の範囲内の割り当てられた帯域幅の位置またはオフセットは、無線通信デバイスが第１のリソース参照方式のリソース識別子を第２のリソース参照方式に変換するのに使用するべきマッピング機能を指示する。そのような実施形態では、無線通信ネットワークにおけるノードは、割り当てられた帯域幅を規定する構成情報を送ることにより、無線通信デバイスにマッピング情報を暗示的に供給することができる。
【００３６】
したがって、１つまたは複数の実施形態では、無線通信デバイスは、割り当てられた帯域幅を規定する構成情報を受信することに関連してマッピング情報を受信し、帯域幅割当ては、マッピングまたは構成情報がマッピングの明示的な指示を含む場所を暗示的に指示する。他の実施形態では、マッピング情報は帯域幅割当てから別個に到来する。
【００３７】
いずれにせよ、少なくともいくつかの実施形態では、無線通信デバイスによって受信されたリソース識別子によって識別される対応する無線リソースは、リソース識別子が指摘する１組の無線リソースに属する。無線リソースの組はデータまたは制御情報を搬送し、無線通信デバイスは、リソース識別子または対応する変換されたリソース識別子を使用して無線リソースの組を識別する。一旦、無線リソースの組が識別されると、無線通信デバイスは、この組によって伝えられたデータまたは制御情報を復号する。あるいは、無線通信デバイスは、識別された無線リソースを、デバイスによる１つまたは複数の送信のために使用する。
【００３８】
図５は、無線通信デバイス２２（「ＷＣＤ  ２２」または「デバイス２２」）を１つまたは複数の外部ネットワーク２４に対して通信可能に結合することなどにより、デバイス２２に１つまたは複数の通信サービスを提供する無線通信ネットワーク２０（ネットワーク「２０」）の一実施形態を図示するものである。例示の外部ネットワーク２４は、インターネットまたは他のパケットデータネットワーク（ＰＤＮ）を含む。ネットワーク２０は、基地局、アクセスポイントなどと称され得る１つまたは複数のネットワークノード２８を含んでいる無線アクセスネットワーク（ＲＡＮ）２６を含む。コアネットワーク（ＣＮ）３０は、たとえばデバイス２２に関する移動性管理およびパケットルーティングをもたらし、パケットゲートウェイ、移動性管理エンティティ、認証サーバなどの１つまたは複数のＣＮノード３２を含む。
【００３９】
ネットワーク２０が、同一または異なるタイプの複数の他のノードと、複数の基地局２８と、複数のＲＡＮとを含み得て、複数の無線アクセス技術（ＲＡＴ）を用いて動作し得るので、図５は簡素化されたものと理解されるべきである。一例では、異なるタイプの基地局２８は、複数のＲＡＴを包含し得るヘテロ形式の無線アクセスネットワークをもたらす。さらに、５Ｇの実装形態の状況では、ネットワーク２０はビーム形成を使用してよく、たとえば、１つまたは複数の基地局２８からの可能性として大きな複数のビームの範囲内の割り当てられたビームが、デバイス２２にカバレッジをもたらすために使用される。
【００４０】
なおさらに、他に断らない限り、「デバイス」、「無線通信デバイス」、「ユーザ機器」、および「ＵＥ」という用語は、本明細書では区別なく使用される。別段の定めがない限り、無線通信デバイスは、ネットワーク２０によって使用される無線アクセス技術（ＲＡＴ）のうち任意の１つまたは複数によってネットワーク２０に無線で接続するように構成された任意の装置を基本的に含む。無線通信デバイスは、固定されたデバイスも企図されるが可動性でよく、非限定的な例には、スマートフォンまたはフィーチャフォン、ノートパソコン、タブレット型コンピュータ、無線のモデムまたはアダプタ、マシン対マシン（Ｍ２Ｍ）デバイスまたはマシンタイプ通信（ＭＴＣ）デバイス、モノのインターネット（ＩｏＴ）デバイスなどであり得るセル式無線電話が含まれる。
【００４１】
図６は、基地局２８およびデバイス２２の例示の実装形態を図示するものである。少なくとも１つの事例では、基地局２８は図３のノード１０の一例として理解され得、デバイス２２は図３のノード１２の一例として理解され得る。
【００４２】
デバイス２２は、ネットワーク２０における無線通信用に構成された通信サーキットリ４０を含む。例示の実施形態では、通信サーキットリ４０は、１つまたは複数の適用可能なエアインターフェースプロトコルによる無線通信用に構成されたＲＦトランシーバサーキットリ４２を備える、すなわち含む。
【００４３】
デバイス２２は、通信サーキットリ４０に対して動作可能に関連づけられた処理サーキットリ４６をさらに含む。処理サーキットリ４６は、たとえばネットワーク２０における基地局２８によるダウンリンク送信により、ネットワーク２０におけるネットワークノードから、通信サーキットリ４０を介してリソース識別子を受信するように構成される。リソース識別子がデバイスに特有のメッセージで受信された場合には、処理サーキットリ４６は、割り当てられた帯域幅１８の範囲内の対応する無線リソースを、リソース識別子を使用して識別するように構成される。しかしながら、デバイスに特有のメッセージでリソース識別子が受信されなかった場合には、処理サーキットリは、リソース識別子を変換し、変換されたリソース識別子を使用して、デバイス２２の割り当てられた帯域幅１８の範囲内の対応するリソースを識別するように構成される。
【００４４】
どちらの場合にも、リソース識別子または変換されたリソース識別子は、同一の対応する無線リソースを識別し、処理サーキットリは、対応する無線リソース上で通信サーキットリ４０を介して送信するかまたは受信するように構成される。デバイス２２が対応する無線リソース上で送信するのかそれとも受信するのかということは、たとえばリソース識別子が受信されるメッセージのタイプまたはリソース識別子が受信される状況に依拠する。
【００４５】
デバイスに特有のメッセージで受信されたものでないリソース識別子は、全体的な帯域幅１４に参照される第１のリソース参照方式で表現された値を含み、デバイスに特有のメッセージで受信されたリソース識別子は、デバイス２２の割り当てられた帯域幅１８に参照される第２のリソース参照方式で表現された値を含む。対応して、処理サーキットリ４６は、第１のリソース参照方式を使用して表現されたリソース識別子を、第１のリソース参照方式を第２のリソース参照方式に関連づけるマッピング情報を使用して変換するように構成される。
【００４６】
例示の実施形態または事例では、処理サーキットリ４６は、複数の無線通信デバイス（同一のタイプでも異なるタイプでもよい）にダウンリンク制御メッセージを送るのに使用される共通の探索空間の内部の無線リソースにおける基地局２８が送信したダウンリンク制御メッセージでリソース識別子を受信し、対応して、リソース識別子がデバイスに特有のメッセージで受信されたものではないため、変換する必要があると判定するように構成される。
【００４７】
少なくとも１つの例示の実施形態または事例では、処理サーキットリ４６は、リソース識別子を第１のリソース参照方式から第２のリソース参照方式に変換するためにネットワーク２０からマッピング情報を受信するように構成される。たとえば、処理サーキットリ４６は、割り当てられた帯域幅を規定する構成情報を受信することに関連してマッピング情報を受信するように構成される。たとえば、処理サーキットリ４６は、割り当てられた帯域幅１８を構成するために、ネットワーク２０によって送られたコマンドによってマッピング情報を暗示的に受信するように構成される。ここで、全体的な帯域幅１４における割り当てられた帯域幅１８の位置またはオフセットは、デバイス２２がリソース識別子を第１のリソース参照方式から第２のリソース参照方式に変換するのに使用するべきマッピング機能を指示する。
【００４８】
さらなる例では、受信されたリソース識別子に対応する無線リソースは、リソース識別子が指摘する１組の無線リソースに属する。無線リソースの組はデータまたは制御情報を搬送し、処理サーキットリ４６は無線リソースの組からデータまたは制御情報を復号するように構成される。たとえば、基地局２８は、デバイス２２を含めて複数のデバイスを対象とするダウンリンク制御メッセージを送り、リソース識別子は、全体的な帯域幅１４の範囲内の１組の無線リソースを識別する。識別されたリソースは、一般に、対象とされた複数のデバイスのそれぞれの割り当てられた帯域幅１８に含まれる。
【００４９】
デバイス２２の通信サーキットリ４０は、他のデバイス２２とのデバイス対デバイス（Ｄ２Ｄ）通信を直接サポートしてもよく、ＷＬＡＮ通信、Ｂｌｕｅｔｏｏｔｈ通信、ニアフィールド通信など（ＮＦＣ）を含み得る。さらに、処理サーキットリ４６は、固定されたサーキットリ、またはプログラムされたサーキットリ、または固定されたサーキットリとプログラムされたサーキットリの混合を備える。
【００５０】
少なくとも１つの実施形態では、処理サーキットリ４６は、１つまたは複数のマイクロプロセッサ、デジタル信号プロセッサ（ＤＳＰ）、フィールドプログラマブルゲートアレイ（ＦＰＧＡ）、特定用途向け集積回路（ＡＳＩＣＳ）、または他のデジタル処理サーキットリを備える。少なくとも１つのそのような実施形態では、処理サーキットリ４６は、本明細書の教示により、処理サーキットリ４６に含まれるかまたは処理サーキットリ４６に関連した記憶機構４８に保持されている１つまたは複数のコンピュータプログラム５０の中に記憶されたコンピュータプログラム命令を実行することに基づいて構成される。記憶機構４８は、処理サーキットリ４６によってあらかじめセットアップされ、かつ／または動的に取得された構成データ５２の１つまたは複数の項目をさらに保持し得る。
【００５１】
１つまたは複数の実施形態では、記憶機構４８は、不揮発性メモリ回路またはディスク記憶機構と揮発性作業メモリとの混合など、１つまたは複数のタイプのコンピュータ可読媒体を備える。不揮発性記憶機構の非限定的な例は半導体ディスク（ＳＳＤ）記憶機構、ＦＬＡＳＨ、およびＥＥＰＲＯＭを含み、揮発性作業メモリの非限定的な例はＤＲＡＭまたはＳＲＡＭを含む。
【００５２】
図６は、図３で導入されたネットワークノード１０の一例として、基地局２８の例示的実装形態の詳細を図示するものである。基地局２８、より一般的にはネットワークノード１０は、通信サーキットリ６０を含む。通信サーキットリ６０は、包含されているネットワークノードのタイプに依拠する特定のサーキットリを含む。
【００５３】
図示された例では、通信サーキットリ６０はＲＦトランシーバサーキットリ６２およびネットワークノード（「ＮＷ」）インターフェースサーキットリ６４を含む。ＲＦトランシーバサーキットリ６２は、たとえばネットワークにおいて動作する無線デバイスとの通信をサポートする適用可能なエアインターフェースを通じて無線信号を送受信するための物理層サーキットリを含む。ネットワークノードインターフェースサーキットリ６４は、たとえば、基地局２８を、ネットワーク２０における１つまたは複数の他の基地局および／または他のノードに対して通信可能に結合するためのネットワークインターフェースサーキットリを備える。
【００５４】
基地局２８は、通信サーキットリ６０に対して動作可能に関連づけられた処理サーキットリ６６をさらに含む。処理サーキットリ６６は、割り当てられた帯域幅１８を用いて動作する無線通信デバイス２２に特有のものでないメッセージでリソース識別子を送信するように構成される。たとえば、基地局２８は、特定のデバイスを対象とするのではなく複数のデバイス向けに意図されたメッセージを送信する。この状況における「送信」は通信サーキットリ６０による無線送信を含むが、他の実施形態では、ネットワークノード１０は、コンピュータネットワークリンクまたは無線送信のための他のノード間インターフェースを通じてリソース識別子を送信してよい。
【００５５】
どちらの場合も、リソース識別子は、無線通信デバイスによって使用される無線リソースを識別し、デバイス２２の割り当てられた帯域幅１８を含有している全体的な帯域幅１４に参照される第１のリソース参照方式によって表現される。対応して、処理サーキットリ６６はデバイス２２にマッピング情報を供給するように構成される。マッピング情報により、デバイス２２は、リソース識別子を、第１のリソース参照方式から、割り当てられた帯域幅１８の範囲内の無線リソースを参照するために使用する第２のリソース参照方式へと変換することができる。たとえば、処理サーキットリ６６は、マッピング情報を、通信サーキットリを介して明示的にシグナリングすることによってデバイス２２に供給するように構成される。明示的シグナリングの非限定的な例は、無線リソース制御（ＲＲＣ）シグナリング、メディアアクセス制御（ＭＡＣ）要素、および制御チャネルシグナリングのうち１つを送ることを含む。
【００５６】
１つまたは複数の他の実施形態またはインスタンスでは、処理サーキットリ６６は、全体的な帯域幅の範囲内のオフセットまたは位置において割り当てられた帯域幅を割り当てることに基づき、デバイス２２に、マッピング情報を暗示的に供給するように構成される。オフセットまたは位置は、第１のリソース参照方式から第２のリソース参照方式へとマッピングするために、無線通信デバイスにとって既知の対応するマッピング機能に関連づけられる。
【００５７】
デバイス２２に特有のものでないメッセージでリソース識別子を送信することの一例では、処理サーキットリ６６は、複数の無線通信デバイスがダウンリンク制御情報を求めて探索する共通の探索空間の内部の制御チャネルを送信するように構成される。ここで、複数の無線通信デバイスがデバイス２２を含み、制御チャネルはリソース識別子を伝えるかまたは指示する。
【００５８】
この状況では、デバイス２２は、デバイス２２に特有のものでないメッセージで受信されたリソース識別子を変換し、変換されたリソース識別子を使用して、割り当てられた帯域幅１８の範囲内の対応する無線リソースを識別するように構成されることを理解されたい。反対に、デバイス２２は、デバイス２２に特有のメッセージで受信されたリソース識別子を変換せずに使用するように構成される。ネットワークノード１０／基地局２８の処理サーキットリ６６は、少なくともいくつかの実施形態では、デバイス２２が、デバイスに特有のものでないメッセージを送信するのに使用されるメッセージ形式と比較してコンパクトな、デバイス２２へデバイスに特有のメッセージを送信するためのメッセージ形式を使用してデバイスに特有のメッセージとデバイスに特有のものでないメッセージを区別することを可能にするように、構成される。
【００５９】
少なくともいくつかの実施形態では、第１のリソース参照方式は、全体的な帯域幅の範囲内の無線リソースに番号付与するための第１の番号付与方式を含み、第２のリソース参照方式は、割り当てられた帯域幅の範囲内の無線リソースに番号付与するための第２の番号付与方式を含む。したがって、デバイス２２は、マッピング情報によって、第１の番号付与方式における番号を第２の番号付与方式における対応番号に変換することができる。これらおよび他の実施形態では、処理サーキットリ６６は、割り当てられた帯域幅１８が全体的な帯域幅１４の範囲内のどこに位置するかまたは配置されているかということに依拠して、マッピング情報を判定するように構成されてよい。
【００６０】
処理サーキットリ６６は、プログラムされたサーキットリ、固定されたサーキットリ、またはプログラムされたサーキットリと固定されたサーキットリの何らかの組合せを含む。例示の実装形態では、処理サーキットリは、１つまたは複数のマイクロプロセサベースの回路、あるいは特別に適合された、そうでなければ１つまたは複数のコンピュータプログラムに含有されているコンピュータプログラム命令を実行することに基づいて構成された、他のデジタル処理サーキットリを含む。対応する実施例では、処理サーキットリ６６は、１つまたは複数のコンピュータプログラム７０を任意の適用可能な構成データ７２とともに記憶している１つまたは複数のタイプのコンピュータ可読媒体を備える記憶機構６８を含むかまたはこれに関連づけられている。
【００６１】
図７は、基地局２８などのネットワークノード１０によって遂行される動作の方法７００を図示するものである。本明細書で図示されたこの方法および他の方法は、図示によって示唆されたのと異なる順番で実行されてよい。さらに、開示された方法（複数可）は、たとえばデバイス２２が最初にネットワーク２０へ接続するとき、デバイス２２が１つの基地局２８から別の基地局へハンドオーバされるとき、またはデバイス２２の帯域幅割当て１８が何らかの理由で変化した場合は常に、トリガベースで、または必要に応じて、繰り返されてよいことが理解されよう。
【００６２】
方法７００は、割り当てられた帯域幅１８を用いて動作する無線通信デバイス２２に特有のものでないメッセージにおいてリソース識別子を送信すること（ブロック７０２）を含み、リソース識別子は、デバイス２２によって使用される無線リソースを識別し、割り当てられた帯域幅１８を含有している全体的な帯域幅１４に参照される第１のリソース参照方式によって表現される。方法７００は、リソース識別子を、第１のリソース参照方式から、割り当てられた帯域幅１８の範囲内の無線リソースを参照するために使用される第２のリソース参照方式へとデバイス２２によって変換することを可能にするマッピング情報を、デバイス２２に供給すること（ブロック７０４）をさらに含む。
【００６３】
マッピング情報を供給することは、たとえば、デバイスに対してマッピング情報を明示的にシグナリングすることを含む。明示的シグナリングの例は、ＲＲＣシグナリングを送ること、ＭＡＣ要素を送ること、および制御チャネルシグナリングを送ることを含む。あるいは、方法７００はマッピング情報を暗示的に供給することを含む。たとえば、マッピング情報を暗示的に供給することは、第１のリソース参照方式から第２のリソース参照方式へマッピングするために、割り当てられた帯域幅１８を、デバイス２２にとって既知の対応するマッピング機能に関連した全体的な帯域幅１４の範囲内のオフセットまたは位置において割り当てることを含む。したがって、割り当てられた帯域幅１８を暗示的に指示することは、デバイス２２が使用するマッピング機能を指示する。
【００６４】
特定のデバイスに特有のものでないメッセージでリソース識別子を送信することの一例では、当の基地局２８または他のネットワークノード１０は、複数のデバイスがダウンリンク制御情報を求めて探索する共通の探索空間の内部の制御チャネルを送信する。これら複数のデバイスは当のデバイス２２を含み、包含された探索空間は、包含されたデバイスのそれぞれの割り当てられた帯域幅１８に共通の全体的な帯域幅１４の一部分を占有する。
【００６５】
そのようなネットワーク側動作をサポートするデバイス２２は、デバイス２２に特有のものでないメッセージで受信されたリソース識別子を変換し、変換されたリソース識別子を使用して、割り当てられた帯域幅１８の範囲内の対応する無線リソースを識別するように構成される。しかしながら、デバイス２２は、デバイス２２に特有のメッセージで受信されたリソース識別子を変換せずに使用する。したがって、少なくとも１つの実施形態では、方法７００は、デバイス２２が、割り当てられた帯域幅１８におけるデバイスに特有の探索空間の内部のデバイス２２へ、割り当てられた帯域幅１８の範囲内の共通の探索空間におけるデバイスに特有のものでないメッセージを送信するのに使用されるメッセージ形式と比較してコンパクトな、デバイスに特有のメッセージを送信するためのメッセージ形式を使用して、デバイスに特有のメッセージとデバイスに特有のものでないメッセージの間を区別することを可能にすることを含む。
【００６６】
ことさら、方法７００には、ネットワークノード１０／基地局２８が、全体的な帯域幅１４に関する第１のリソース参照方式または全体的な帯域幅１４の範囲内の割り当てられた帯域幅１８に関する第２のリソース参照方式を使用して、リソース識別子を送るようにさらに選択的に構成され得ることがさらに含まれ得る。たとえば、ネットワークノード１０／基地局２８は、ネットワーク２０において動作する複数のデバイスに対する適用可能性を有するリソース識別子を送るとき、第１のリソース参照方式で表現されるようなリソース識別子を送る。そうすると、たとえば、異なるデバイスが異なる割り当てられた帯域幅１８を有し、リソース識別子の異なる変換を遂行するように、各受信デバイスが、必要に応じて、リソース識別子をデバイスで使用される特定の参照方式に変換することが可能になり、その結果、対応する無線リソースがそれぞれの割り当てられた帯域幅１８の範囲内で正確に識別される。この手法は、ネットワーク２０が、受信デバイスの特定の帯域幅割当てに送信を適合さることを不要にする。
【００６７】
他方では、ネットワークノード１０／基地局２８は、１つの特定のデバイス２２を対象とするリソース識別子を送るとき、デバイス２２に適用可能なリソース参照方式で表現されるようなリソース識別子を送る。そうすると効率を助長する。たとえば、対象とするデバイス２２に適用可能なリソース参照で表現されたリソース識別子は、全体的な帯域幅１４に適用可能なリソース参照識別子よりも小さくなり得る。さらに、対象とするデバイス２２において使用される参照方式で表現されたリソース識別子を送ると、対象のデバイス２２が変換を遂行する必要性が回避される。
【００６８】
図８は、図６に示された基地局２８などの基地局２８における方法８００の動作を図示するものである。方法８００は、方法７００の詳細な例または拡張として理解され得る。
【００６９】
方法８００は、基地局２８によってサーブされている、またはサーブされるべきデバイス２２に、ダウンリンク帯域幅割当てをシグナリングすること（ブロック８０２）を含む。ダウンリンク帯域幅割当ては、デバイス２２に関連づけられるべき第２のダウンリンク帯域幅を指示し、第２のダウンリンク帯域幅は、基地局２８に関連した第１のダウンリンク帯域幅に含有されている。ここで、第１のダウンリンク帯域幅は以前に説明された全体的な帯域幅１４に相当し、第２のダウンリンク帯域幅は以前に説明された割り当てられた帯域幅１８に相当する。
【００７０】
方法８００は、前述のデバイス２２を含む複数のデバイス２２によって受信されるようにダウンリンクメッセージを送信すること（ブロック８０４）をさらに含む。ダウンリンクメッセージは、複数のデバイス２２に関するデータまたは制御情報を含有している無線リソースを識別するリソース識別子を含む。無線リソース識別子は、基地局２８が第１のダウンリンク帯域幅の範囲内の無線リソースを識別するのに使用する第１のリソース参照方式によって規定された値を有し、方法８００は、リソース識別子を、第１のリソース参照方式から、第２のダウンリンク帯域幅の範囲内の無線リソースを参照するために使用される第２のリソース参照方式へとデバイス２２によって変換することを可能にするマッピング情報を、デバイス２２に対して明示的または暗示的に供給すること（ブロック８０６）をさらに含む。
【００７１】
上記の非限定的な例を念頭において、少なくとも１つの実施形態では、ネットワークノード１０は、ネットワーク２０において動作しているデバイス２２に対してデバイスに特有のオフセットを送信する。例として、デバイスに特有のオフセットは、ＲＲＣメッセージングによって、ＭＡＣ要素として、制御シグナリングで、または別の機構によって送信される。しかしながら、デバイスに特有のオフセットは、ネットワーク２０からデバイス２２に伝えられ、マッピング情報を供給するかまたはマッピング情報に関するものとして理解され得、マッピング情報は、割り当てられた帯域幅１８の範囲内の無線リソースを参照するためにデバイス２２によって使用されるリソース番号付与方式またはリソース参照方式を、割り当てられた帯域幅１８を含有している全体的な帯域幅１４の範囲内の無線リソースを参照するためにネットワーク２０によって使用されるリソース番号付与方式またはリソース参照方式に、関連づけるものである。
【００７２】
ここで、「帯域幅」という用語は、便宜上、量または範囲と周波数リソースのロケーションとの両方を意味するように使用されていることが理解されよう。したがって、「基地局２８は１００ＭＨｚのダウンリンク帯域幅に関連づけられている」ということは、たとえば「基地局２８は絶対周波数の特定の範囲における１００ＭＨｚの無線周波数スペクトルに関連づけられている」という意味に理解され得る。対応して、基地局のカバレッジエリアにおいて動作するデバイス２２は、基地局の周波数帯の特定のサブバンドにおいて動作し、このサブバンドは、デバイスに関連する割り当てられた帯域幅１８と称される。一般に、特定の帯域幅は、それぞれが帯域幅の範囲内の周波数リソースを表現して規定された間隔を有する対応する数のサブキャリアによって規定されるかまたはこれらのサブキャリアを含有している。
【００７３】
１つまたは複数の実施形態では、ネットワーク２０は、たとえばデバイス２２の帯域幅割当てが変化したとき、またはマッピングを更新しなければならないときといった必要な場合は常に、所与のデバイス２２に対してデバイスに特有のオフセットを送信する。好ましくは、デバイスに特有のオフセットは、デバイスの割り当てられた帯域幅１８のロケーションを構成するのに使用されるものと同一のメッセージで送信される。しかしながら、本明細書では、デバイスに特有のオフセットが、デバイス２２に対して暗示的にシグナリングされ得ることも企図されている。たとえば、デバイス２２は、包含されたダウンリンクキャリアを供給する基地局２８のシステムキャリアの帯域幅であり得る全体的な帯域幅１４の範囲内のデバイスの帯域幅１８を（再度）割り当てるコマンドから、既知の関係に基づいて、デバイスに特有のオフセットを導出してよい。
【００７４】
前述のように、デバイスが、デバイスに特有のリソース参照方式を用いて動作することが可能になると、デバイスに特有のリソース識別子は、それぞれのデバイス２２に関連づけられている一般的には非常に小さい帯域幅割当てに関連した「より小さい」番号空間において表現され得る。所与のデバイス２２に関するデバイスに特有のオフセットは、ネットワーク２０によって、システムキャリアの帯域幅の範囲内の（範囲外であっても）任意の所望の参照ポイントに関連して計算され得ることに留意されたい。たとえば、オフセットは、システムキャリアの帯域幅の範囲内の、最小の番号のリソースブロック（ＲＢ）、帯域幅の中央、または最大の番号のＲＢに対して計算されてよい。さらなる代替形態として、デバイスに特有のオフセットは、特定の信号（たとえば同期信号もしくは同期信号ブロック（ＳＳＢ）もしくは物理ブロードキャストチャネル（ＰＢＣＨ））の周波数ロケーションに対して参照されてよく、またはデバイス２２によってランダムアクセス用に使用される周波数に対して参照されてよく、またはデバイスに特有のオフセットをデバイス２２に伝えるために使用されるシグナリングのロケーションに対して参照されてもよい。さらなる代替形態として、デバイスに特有のオフセットは、あらゆる任意の周波数、ＲＢ、または規定された信号に対して計算され得る。
【００７５】
図９は、たとえば、基地局（ＢＳ）２８または他のネットワークノード１０が、第１のリソース参照方式を使用して１組の無線リソースの範囲内の無線リソースを識別する手法を示す。具体的には、基地局２８は、０〜２６の番号を使用して２７のＲＢを識別する第１の番号付与方式を使用する。２７のＲＢはこの例に関する全体的な帯域幅を表現しており、ＵＥ  １と表された第１のデバイス２２は、（ＢＳの番号付与による）ＲＢ  １０〜１９を包含する帯域幅のサブセットを割り当てられている。同様に、ＵＥ  ２と表された第２のデバイス２２は、全体的な帯域幅のうち（ＢＳの番号付与による）ＲＢ  ３〜１７を包含する別のサブセットを割り当てられている。各ＵＥがそれ自体のリソース参照方式を使用し、たとえば、ＵＥ  １は、ＵＥ  １に割り当てられた帯域幅の範囲内のリソースを、０〜９の番号付与方式を使用して識別し、ＵＥ  ２は、ＵＥ  ２に割り当てられた帯域幅の範囲内のリソースを、０〜１４の番号付与方式を使用して識別する。
【００７６】
したがって、ＢＳの番号付与方式の「開始」に対して、ＵＥ  １が使用する番号付与方式は１０だけオフセットされ、ＵＥ  ２が使用する番号付与方式は３だけオフセットされる。したがって、基地局２８は、ＵＥに対して適用可能なオフセット情報を供給することにより、基地局の番号付与方式をＵＥが使用する番号付与方式に変換する機構をＵＥの各々に提供することができる。たとえば、そのような情報は、ＵＥ向けの帯域幅割当てを構成することの一部分として供給され、関係のある構成シグナリングとともにＵＥにシグナリングされてよい。
【００７７】
ここで、ＵＥに特有のオフセットは、リソース識別子を、基地局２８がそれ自体に関連した第１のダウンリンク帯域幅の範囲内の無線リソースを識別するのに使用する第１のリソース参照方式から、ＵＥがそれ自体に関連した第２のダウンリンク帯域幅の範囲内の無線リソースを識別するのに使用する第２のリソース参照方式へと所与のＵＥによって変換することを可能にする、ＵＥに特有のマッピング情報として理解され得る。この例では、第１のダウンリンク帯域幅は２７のＲＢを含み、ＵＥ  １向けの第２のダウンリンク帯域幅はＵＥ  １に割り当てられた１０のＲＢを含む。同様に、ＵＥ  ２向けの第２のダウンリンク帯域幅には１５のＲＢが割り当てられる。ＵＥ  １向けのマッピング情報は「オフセット１＝１０」という情報を含み、ＵＥ  ２向けのマッピング情報は「オフセット２＝３」という情報を含む。
【００７８】
したがって、基地局２８が、ＲＢ  １０を使用して、所与の送信時間間隔またはインスタントにおいて、第１の番号付与方式でＲＢ  １２〜１４を指示するリソース識別子を含んでいるメッセージを送信する場合、ＵＥ  １は、オフセット１＝１０を差し引いて、それ自体の番号付与方式でＲＢ  ２〜４を得ることになる。同様に、ＵＥ  ２は、ＲＢ  １２〜１４からオフセット２＝３を差し引いて、それ自体の番号付与方式でＲＢ  ９〜１１を得ることになる。各ＵＥによって使用される「マッピング機能」は、このように、メッセージで識別されるＲＢ番号からＵＥに特有のオフセットを差し引くことであり得、これは、たとえば、基地局２８による物理ダウンリンク制御チャネル（ＰＤＣＣＨ）送信であり得る。
【００７９】
別の実施形態では、この修正形態は、基地局２８によって指示されたＲＢ番号に対してＵＥに特有のオフセットを加算することであり得る。両方の例において、線形のリソースブロック番号付与が想定されている。他の可能な番号付与方式には、中心周波数に対する正／負のリソースブロック番号、または中心において始まって外へ螺旋状に進む螺旋状のリソースブロック番号付与などがある。本明細書の教示は特定の番号付与方式に限定されることはなく、また、ＵＥに供給されるマッピング情報と、ＵＥが基地局のリソース参照をＵＥに特有のリソース参照に変換するために使用する対応するマッピング機能とは、使用されるリソース参照方式に依拠するはずであることが理解される。
【００８０】
ＬＴＥにおける基地局はｅＮＢと称されるが、５Ｇシステムにおける無線アクセスノードは「ｇＮＢ」と称され得る。本明細書の教示の一実施形態によって動作するｇＮＢはそれぞれのＵＥにマッピング情報を供給し、各ＵＥが、第１の帯域幅の範囲内に含有されている無線リソースに対してｇＮＢが使用するリソース参照方式のリソース識別子から、各ＵＥに割り当てられたリソース識別子または関連したリソースサブセットにマッピングされるＵＥに特有のリソース識別子へと変換することを可能にする。もちろん、ｇＮＢは、ＵＥに特有の参照方式に関して既に表現されているリソース識別子を含有している、ＵＥに特有のメッセージを送信し得る一方で、ｇＮＢの参照方式に関して表現された、複数のＵＥが受信するように意図されたメッセージで、リソース識別子を送る。
【００８１】
本明細書の少なくとも１つの実施形態では、ｇＮＢまたは他の基地局２８は、リソース識別子を、共通の探索空間において送るときと、デバイスに特有の（ＵＥに特有の）探索空間において送るときとで、異なるメッセージ「サイズ」を使用する。すなわち、リソース識別子は、複数のＵＥが受信するように共通の探索空間において送信されるメッセージで送られるときには、全体的なリソース空間、すなわち当の全体的な帯域幅によって表現されるリソース空間に関して表現される。しかしながら、リソース識別子は、特定のデバイスが受信するようにデバイスに特有の探索空間において送信されるメッセージで送られるときには、割り当てられたリソース空間、すなわちデバイスに関連した帯域幅割当てによって表現されるリソース空間に関して表現される。割り当てられた帯域幅は、全体的な帯域幅よりもはるかに小さいものであり得るため、割り当てられた帯域幅の範囲内でたとえばＲＢといったリソースを一意的識別するのに必要なビット数は、全体的な帯域幅の範囲内で同じリソースを識別するのに必要なビット数よりも少ない。
【００８２】
デバイス２２は、当の全体的な帯域幅においてリソースを識別するのに必要なビット数と、所与のデバイス２２に関連する割り当てられた帯域幅においてリソースを識別するのに必要なビット数とが異なるのを補完して、異なるメッセージサイズを扱うように構成されてよい。たとえば、ＵＥは、共通の探索空間においてＰＤＣＣＨメッセージを探索するときと、ＵＥに特有の探索空間においてＰＤＣＣＨメッセージを探索するときとで、異なるリソース割当てフィールドサイズを想定してよい。この場合、ＵＥは、ダウンリンク制御情報（ＤＣＩ）のサイズが異なることも想定してよい。また、デバイスに特有のオフセットを（基地局番号付与において）ＲＢ  ０と等しいアンカに関連して規定する必要はないことに留意されたい。アンカは、当の基地局２８によってサーブされているすべてのデバイス２２に対して一貫している限り任意でよく、デバイス２２において既知である必要はない。異なる基地局２８は異なるアンカを有し得る。
【００８３】
図１０は、ＢＳがＲＢ  ７をアンカに選択した例示の実施形態または構成を図示するものである。この選択は、オフセット１＝３およびオフセット２＝−４に反映されている。したがって、オフセットは負であり得る。これらのＵＥに特有のオフセットは、たとえば、より大きな帯域幅の範囲内の帯域幅のロケーションの準静的構成に際してＵＥに送信される。
【００８４】
図１０にはＢＳによるダウンリンク制御情報（ＤＣＩ）の送信も図示されており、ＤＣＩは、ＵＥ  １とＵＥ  ２に共通して関心のあるデータ領域を識別し、基地局のリソース参照方式を使用して、包含されているＲＢを識別する。ことさら、基地局は、それ自体のリソース番号付与方式に関して共通データ領域ＲＢを表現するにもかかわらず、ＲＢ  ７がＵＥに特有のオフセットの参照としてサーブするという事実に合わせて順応する。基地局２８によって共通のＰＤＣＣＨにおいて送られたリソース識別子は、共通データ領域ＲＢが基地局の方式において１２〜１４と番号付与されていると想定して、ＲＢ  ５〜７を識別する。ＵＥ  １は、ＲＢ  ５〜７からオフセット１（＝３）を差し引いて、それ自体のリソース空間の内部にＲＢ  ２〜４をもたらし、ＵＥ  ２は、ＲＢ  ５〜７からオフセット２（＝−４）を差し引いて、それ自体のリソース空間の内部にＲＢ  ９〜１１を取得する。ことさら、図７に関連して理解されるように、両方のオフセット方式により、ＵＥ  １とＵＥ  ２は、どちらも、共通の探索空間におけるＢＳから受信するＰＤＣＣＨメッセージで示された共通データ領域のＲＢとしてＲＢ  １２〜１４を（絶対的なＢＳ番号付与において）正しく識別するように、リソース識別子を正確に分解する。
【００８５】
図１０は、基地局２８が、ＵＥに特有のオフセットに関するアンカまたは参照ポイントが全体的な帯域幅の範囲内で配置されている場所に依拠して、共通メッセージで送るリソース識別子の値（複数可）を調節することができるので、関心のある全体的な帯域幅の範囲内の任意のアンカポイントを選択することができ、この選択はサーブされているデバイス２２に対して透過的であることを実証するものである。例として、アンカは、ＢＳ  ＲＢ  ０もしくはＲＢ  Ｎ−１、または全体的な帯域幅の中心ＲＢもしくは中心周波数のロケーション、または同期信号もしくは同期信号のブロックＳＳＢもしくは物理ブロードキャストチャネル（ＰＢＣＨ）のロケーション、または任意の他のロケーションでよい。少なくとも１つの実施形態では、基地局２８は、オフセットを符号化するのに必要なビット数を最小化するようにアンカを選択する。
【００８６】
本明細書ではオフセットの符号化も検討される。符号化の分解能は、デバイス２２が使用する単一のＲＢの分解能とは異なるものでよい。たとえば、オフセットをＲＢの分解能で表現するのではなく、オフセットは、単一のＲＢの刻みよりもＲＢの倍数などでより粗く表現されてよい。一例では、デバイスに特有のオフセットはＬ倍（いくつかのＲＢの数）で表現され、Ｌは整数である。そのような手法はシグナリングビットを節約するが、基地局２８に、デバイスをより粗いグリッド上に割り当てることを強制する。
【００８７】
次に、ネットワーク２０が、デバイス２２を全体的な帯域幅１４の別の部分へ再構成するシナリオ、すなわち、デバイス２２を割り当てる帯域幅１８を、当の全体的な帯域幅の範囲内で「移動する」シナリオを検討する。そのよう変更は、たとえばネットワーク負荷またはデバイス移動性の機能として生じる可能性があり、デバイス２２に対してサービング基地局が変更される。割り当てられる帯域幅のロケーションが変更されるとデバイスに特有のオフセットが変更され、このことは、より一般的には、デバイス２２が基地局のリソース参照方式からデバイスに特有のリソース参照方式へと変換するのに使用するマッピング機能が変更される、と明示され得る。
【００８８】
そのゆえに、デバイス２２が使用するオフセットまたは他のマッピング情報は、変更された割当てロケーションを反映するために更新する必要があり、そのような情報は、ＲＲＣ再構成またはハンドオーバシグナリングで、パラメータとしてデバイス２２に供給され得る。より一般的には、デバイス２２には必要に応じて新規のマッピング情報が供給され、またはデバイス２２が新規のマッピング情報を導出する。
【００８９】
図１１は、本明細書で企図されたさらなる変形形態を図示するものである。この例示の実施形態またはインスタンスでは、デバイスに特有のリソース番号付与を基地局のリソース番号付与に関連づけるオフセットは、サポートされている各デバイス２２の割り当てられた帯域幅に対して規定される。オフセットは、好ましくは基地局２８からの共通メッセージを受信し得るすべてのデバイス２２の共通の帯域幅の範囲内にある参照に対するものである。
【００９０】
図１１では、参照は、共通の帯域幅の最下部に選択されている。しかしながら、他の位置も可能である。この例では、オフセット１＝０、オフセット２＝７である。基地局２８は、参照に対してスケジューリングされたリソースを参照するが、そのとき、全体的な帯域幅１４に関連した番号付与方式を使用する。たとえば、ＢＳは、ＵＥ  １およびＵＥ  ２に送られる共通メッセージで（ＢＳの座標系における）ＲＢ  １３〜１５を参照するのに、３〜５をシグナリングすることになる。これらリソース識別子の値は、依然としてＢＳのリソース参照方式で表現されているが絶対値ではなく相対値であり、すなわち当の全体的な帯域幅の範囲内のＲＢ＝１０のアンカポイントに対するものである。
【００９１】
対応して、ＵＥ  １は、ＢＳの方式からデバイスに特有の適用可能な方式へ適切にマッピングするためにリソース識別子の値にオフセット１（０）を加算し、その結果、ＲＢ  ３〜５からのデータをそれ自体の参照方式の範囲内に復号する。もちろん、これらの値は、全体的な帯域幅１４の範囲内のＲＢ  １３〜１５を適切に「指示する」ものである。同様に、ＵＥ  ２は、ＢＳによってシグナリングされた値にオフセット２（７）を加算し、その結果、正確なＲＢからのデータを復号する。
【００９２】
ことさら、参照は、必ずしも共通の帯域幅の範囲内で行われる必要はなく、図１２はそのような手法の一例を図示するものである。ここではオフセット１＝−１、オフセット２＝６である。先の例で参照されたのと同一の帯域幅をアドレス指定するために、基地局２８はリソース識別子４〜６をシグナリングする。ＵＥ  １はシグナリングされた値にオフセット１（−１）を加算して、ＵＥ  １の局所的な参照システムまたは座標系においてリソース３〜５を使用する。ＵＥ  ２はシグナリングされた値にオフセット２（６）を加算して、ＵＥ  ２の局所座標系においてリソース１０〜１２を使用する。オフセット参照が共通の帯域幅の外にある場合、リソース割当て指定に、可能性としてより大きなフィールドが必要となる。たとえば、図１１では３ビットのみでよいが、図１２では４ビットが必要である。
【００９３】
図１１に見られる手法には、共通の探索空間におけるシグナリングは、共通の帯域幅をアドレス指定するのと同数のビットしか必要としないという利点があるが、図１０に見られる手法では、当の全体的な帯域幅の範囲内のリソースを識別するのに必要なビット数を収容するためのリソース割当てフィールドが必要である。もちろん、図１１に図示された手法では、たとえば単一のＵＥの帯域幅割当ての変化のために共通の帯域幅が変化する場合には、ＵＥに特有のオフセットを再構成する必要がある。あるいは、参照は一定に保たれてよいが、この場合、リソース割当てフィールドのサイズが増大し得る。
【００９４】
いくつかある利点の中で、本明細書の教示は、デバイスに特有のＲＢ割当てをシグナリングするためのできるだけ小さいペイロードを可能にし、共通空間のＲＢ割当ての明瞭なシグナリングを可能にする一方で、デバイスごとの帯域幅の十分な柔軟性を可能にするものである。例示の実装形態では、デバイス２２は、サービング基地局２８が任意数のデバイス２２にサーブするのに使用する帯域幅（周波数範囲）の一部分を占有する帯域幅割当て（周波数割当てとも称される）を用いて構成される。
【００９５】
デバイス２２は、デバイスに特有のオフセットを受信し、共通の探索空間においてダウンリンク制御メッセージを受信するように構成される。ダウンリンク制御メッセージは、たとえばデータ領域ロケーションインジケータ（リソースブロック割当て）といったリソース識別子を含み、デバイス２２は、データ領域ロケーションインジケータおよびデバイスに特有のオフセットに基づいて１組のリソースブロックを識別するように構成される。さらに、デバイス２２は、リソースブロックの識別された組のデータ領域におけるデータコードワードを受信するように構成され、すなわち、正確に識別された無線リソースからデータコードワードを復号するように構成される。
【００９６】
デバイス２２は、包含されるＤＣＩが、複数のデバイス２２によって使用される共通の探索空間において受信されたのか、それともデバイス２２に特有の探索空間において受信されたのかということに依拠して、受信用または送信用に使用するリソースブロック（複数可）を計算するのに、異なる方式（マッピング機能）を使用する。サービング基地局２８は、共通の探索空間におけるＤＣＩと、ＵＥに特有の探索空間におけるＤＣＩとで、異なるリソースブロックフィールドサイズを（したがって、可能性として異なるＤＣＩのサイズも）使用してよく、そのような実施形態におけるデバイス２２は、異なるサイズのリソースブロックフィールドおよび／またはＤＣＩを正確に受信する（処理する）ように構成される。
【００９７】
ことさら、前述の説明および関連する図面において提示された教示の利益を有する当業者なら、開示された発明（複数可）の修正形態および他の実施形態が思い浮かぶはずである。したがって、本発明（複数可）は、開示された特定の実施形態に限定されず、修正形態および他の実施形態はこの開示の範囲内に含まれるように意図されていることを理解されたい。本明細書では特定の用語が採用されていることがあるが、一般的かつ説明的な意味でのみ使用されており、限定するためのものではではない。
【図１】
2020145680.tif 000003
【図２】
2020145680.tif 000004
【図３】
2020145680.tif 000005
【図４】
2020145680.tif 000006
【図５】
2020145680.tif 000007
【図６】
2020145680.tif 000008
【図７】
2020145680.tif 000009
【図８】
2020145680.tif 000010
【図９】
2020145680.tif 000011
【図１０】
2020145680.tif 000012
【図１１】
2020145680.tif 000013
【図１２】
2020145680.tif 000014
【手続補正書】
【提出日】令和2年6月5日(2020.6.5)
【手続補正１】
【補正対象書類名】特許請求の範囲
【補正対象項目名】全文
【補正方法】変更
【補正の内容】
【特許請求の範囲】
【請求項１】
無線通信ネットワーク（２０）において動作するように構成された無線通信デバイス（２２）における動作の方法（４００）であって、前記方法（４００）が、
前記無線通信ネットワーク（２０）におけるネットワークノード（１０、２８）から、リソース識別子の値を含むリソース識別子を受信すること（ブロック４０２）と、
デバイスに特有のメッセージで前記リソース識別子が受信された場合には、前記無線通信デバイス（２２）の割り当てられた帯域幅（１８）の範囲内の対応する無線リソースを識別する前記リソース識別子の値を使用すること（ブロック４０６）と、
ダウンリンク制御メッセージを複数の無線通信デバイス（２２）に対して送るのに使用される共通の探索空間内の無線リソース上で前記無線通信ネットワーク（２０）の基地局（２８）によって送信されたダウンリンク制御メッセージで前記リソース識別子が受信された場合、前記リソース識別子の値を変換し、前記変換されたリソース識別子の値を使用して、前記無線通信デバイス（２２）の前記割り当てられた帯域幅（１８）の範囲内の前記対応するリソースを識別すること（ブロック４０８）と、
前記対応する無線リソース上で受信すること（ブロック４１０）とを含み、
前記ソース識別子の値を変換することが、第１の周波数リソース参照方式を第２の周波数リソース参照方式に関連づけるマッピング情報を使用することを含む、方法（４００）。
【請求項２】
前記対応する無線リソースが前記リソース識別子によって示された１組の無線リソースに属し、前記無線リソースの組がデータまたは制御情報を搬送し、前記対応する無線リソース上で受信することが、前記無線リソースの組からの前記データまたは制御情報を復号することを含む、請求項１に記載の方法（４００）。
【請求項３】
無線通信ネットワーク（２０）における無線通信用に構成された通信サーキットリ（４０）と、
前記通信サーキットリ（４０）に対して動作可能に関連づけられた処理サーキットリ（４６）であって、
前記無線通信ネットワーク（２０）におけるネットワークノード（１０、２８）から、前記通信サーキットリ（４０）を介して、リソース識別子の値を含むリソース識別子を受信し、
デバイスに特有のメッセージで前記リソース識別子が受信された場合には、前記リソース識別子の値を使用して、前記無線通信デバイス（２２）の割り当てられた帯域幅（１８）の範囲内の対応する無線リソースを識別し、
ダウンリンク制御メッセージを複数の無線通信デバイス（２２）に対して送るのに使用される共通の探索空間内の無線リソース上で前記無線通信ネットワーク（２０）の基地局（２８）によって送信されたダウンリンク制御メッセージで前記リソース識別子が受信された場合、前記リソース識別子の値を変換し、前記変換されたリソース識別子の値を使用して、前記無線通信デバイス（２２）の前記割り当てられた帯域幅（１８）の範囲内の前記対応するリソースを識別して、
前記通信サーキットリ（４０）を介して、前記対応する無線リソース上で受信するように構成された処理サーキットリ（４６）とを備える無線通信デバイス（２２）であって、
前記処理サーキットリ（４６）が、前記リソース識別子の値を、前記第１の周波数リソース参照方式を前記第２の周波数リソース参照方式に関連づけるマッピング情報を使用して変換するように構成される、無線通信デバイス（２２）。
【請求項４】
前記対応する無線リソースが前記リソース識別子によって示された１組の無線リソースに属し、前記無線リソースの組がデータまたは制御情報を搬送し、前記処理サーキットリ（４６）が前記無線リソースの組から前記データまたは制御情報を復号するように構成される、請求項３に記載の無線通信デバイス（２２）。
【外国語明細書】
2020145680000001.pdf